(57)【特許請求の範囲】
【請求項１】
洗浄水を貯留するタンク本体と、
前記タンク本体の側部に設けられた開口部と、
前記開口部に取り付けられ、上方から供給される洗浄水を前記タンク本体の側部から該タンク本体の内部へ導入する導水管と
を備え、
前記導水管は、
上方から供給される洗浄水を前記導水管へ流入させる排水管とは別体に構成され、
前記排水管が接続される流入口を有し、
前記流入口が側方を向き洗浄水の流出口が下方を向くように、前記開口部に取り付けられること
を特徴とする洗浄水タンク装置。
【請求項２】
前記開口部は、
前記タンク本体の上面の端縁部に形成された切欠きであること
を特徴とする請求項１に記載の洗浄水タンク装置。
【請求項３】
前記切欠きに挿入され、前記導水管を固定する固定部材をさらに備えること
を特徴とする請求項２に記載の洗浄水タンク装置。
【請求項４】
前記タンク本体は、
平面視において楕円形状であること
を特徴とする請求項１〜３のいずれか１つに記載の洗浄水タンク装置。
【請求項５】
請求項１〜４のいずれか１つに記載の洗浄水タンク装置を備えること
を特徴とする水洗大便器。
【請求項６】
前記タンク本体を収納するキャビネットと、
前記キャビネットの上面に配置される手洗い器と
をさらに備え、
前記キャビネット内において、前記手洗い器の前記排水管が前記導水管に接続されること
を特徴とする請求項５に記載の水洗大便器。
【発明の詳細な説明】
【技術分野】
【０００１】
開示の実施形態は、洗浄水タンク装置および水洗大便器に関する。
【背景技術】
【０００２】
従来、便器へ供給する洗浄水を貯留する洗浄水タンク装置には、タンク本体の上方に配置された手洗い器の排水管に接続され、手洗い器からの排水を洗浄水としてタンク本体の内部へ導入する導水管を備えたものがある。
【０００３】
かかる導水管は、たとえば、タンク本体の上面に配置される蓋に取り付けられる（たとえば、特許文献１参照）。
【先行技術文献】
【特許文献】
【０００４】
【特許文献１】特開２０１５−１９０２７２号公報
【発明の概要】
【発明が解決しようとする課題】
【０００５】
しかしながら、上記したような従来の洗浄水タンク装置では、タンク本体の上面の蓋に導水管が取り付けられるため、全体の高さが高くなるという問題があった。
【０００６】
実施形態の一態様は、高さを抑えることができる洗浄水タンク装置および水洗大便器を提供することを目的とする。
【課題を解決するための手段】
【０００７】
実施形態の一態様に係る洗浄水タンク装置は、洗浄水を貯留するタンク本体と、前記タンク本体の側部に設けられた開口部と、前記開口部に取り付けられ、上方から供給される洗浄水を前記タンク本体の側部から該タンク本体の内部へ導入する導水管とを備えることを特徴とする。
【０００８】
このように、タンク本体の側部に導水管があることで、高さを抑えることができる。また、タンク本体の側部に導水管があるため、上方から供給される洗浄水の落差が大きくなり、洗浄水に十分な水勢を付与することができる。これにより、導水管内の残水を減らすことができる。また、導水管からタンク本体に貯留される洗浄水の最大水位の水面までの高さが抑えられ、洗浄水の水はねを防止することができる。
【０００９】
また、上記した洗浄水タンク装置では、前記導水管は、洗浄水の流入口が側方を向き洗浄水の流出口が下方を向くように、前記開口部に取り付けられることを特徴とする。これにより、タンク本体の側方から流入された洗浄水が下方へ流出され、導水管の流出口からタンク本体に貯留される洗浄水の水面までの高さが抑えられ、流出口から流出した洗浄水の水はねを防止することができる。
【００１０】
また、上記した洗浄水タンク装置では、前記開口部は、前記タンク本体の上面の端縁部に形成された切欠きであることを特徴とする。これにより、開口部である切欠きに対して導水管を上方から取り付けることができる。この結果、導水管の組み付けが容易となる。
【００１１】
また、上記した洗浄水タンク装置は、前記切欠きに挿入され、前記導水管を固定する固定部材をさらに備えることを特徴とする。これにより、切欠きに対して固定部材を上方から取り付けることができる。この結果、導水管の組み付けが容易となる。また、導水管が固定部材に固定されるため、導水管を安定させることができる。
【００１２】
また、上記した洗浄水タンク装置では、前記タンク本体は、平面視において楕円形状であることを特徴とする。すなわち、タンク本体の側周面が曲面となる。このため、導水管に接続される管をタンク本体の側周面に沿わせることで、導水管に接続される管の長さを短くすることができる。
【００１３】
また、実施形態の一態様に係る水洗大便器は、上記した洗浄水タンク装置を備えることを特徴とする。洗浄水タンク装置の高さが抑えられることで、水洗大便器の高さも抑えることができる。また、導水管内の残水が減少するため、節水性、衛生性が向上する。また、導水管の組み付けが容易となるため、施工性が向上する。
【００１４】
さらに、上記した水洗大便器は、前記タンク本体を収納するキャビネットと、前記キャビネットの上面に配置される手洗い器とをさらに備え、前記キャビネット内において、前記手洗い器の排水管が前記導水管に接続されることを特徴とする。これにより、手洗い器とタンク本体とを近接させることができる。これにより、キャビネットの高さを抑えることができる。
【発明の効果】
【００１５】
実施形態の一態様によれば、高さを抑えることができる。
【図面の簡単な説明】
【００１６】
【図１】図１は、実施形態に係る洗浄水タンク装置の概要説明図である。
【図２】図２は、実施形態に係る洗浄水タンク装置の斜視図である。
【図３】図３は、実施形態に係る洗浄水タンク装置の平面図である。
【図４Ａ】図４Ａは、第１開口部の説明図である。
【図４Ｂ】図４Ｂは、第２開口部の説明図である。
【図５Ａ】図５Ａは、固定部材の説明図（その１）である。
【図５Ｂ】図５Ｂは、固定部材の説明図（その２）である。
【図６】図６は、固定部材および導水管の配置説明図である。
【図７】図７は、実施形態に係る水洗大便器の正断面図である。
【図８Ａ】図８Ａは、キャビネット上部の正断面図である。
【図８Ｂ】図８Ｂは、比較例のキャビネット上部の正断面図である。
【図９Ａ】図９Ａは、手洗い器および第１開口部の接続状態を示す平断面図である。
【図９Ｂ】図９Ｂは、手洗い器および第２開口部の接続状態を示す平断面図である。
【発明を実施するための形態】
【００１７】
以下、添付図面を参照して、本願の開示する洗浄水タンク装置および水洗大便器の実施形態を詳細に説明する。なお、以下に示す実施形態によりこの発明が限定されるものではない。
【００１８】
＜洗浄水タンク装置＞
図１は、実施形態に係る洗浄水タンク装置１０の概要説明図である。図１に示すように、洗浄水タンク装置１０は、タンク本体１１と、開口部１２と、導水管１３とを備える。タンク本体１１は、たとえば、便器の後方に配置される。タンク本体１１は、便器へ供給する洗浄水を内部に貯留する。
【００１９】
開口部１２は、タンク本体１１の側部に、タンク本体１１の外部と内部とを連通するように設けられる。導水管１３は、開口部１２に取り付けられる。導水管１３は、たとえば、タンク本体１１の上方に配置された給水源から供給される洗浄水を、タンク本体１１の側部からタンク本体１１の内部へ導入する。
【００２０】
ここで、従来の洗浄水タンク装置では、導水管が、たとえば、タンク本体の上面に配置される蓋に取り付けられていた。このため、従来の洗浄水タンク装置は、全体の高さが高いものであった。
【００２１】
また、従来の洗浄水タンク装置では、導水管が、タンク本体の上方から供給される洗浄水を、タンク本体の上部からタンク本体の内部へ導入する。このため、従来の洗浄水タンク装置のように導水管が蓋に取り付けられている場合、上方から供給される洗浄水の落差が小さく、導水管内において洗浄水に十分な水勢が付与されない。このため、導水管内の残水が増加していた。
【００２２】
また、タンク本体の内部に配置される導水管の先端部からタンク本体に貯留される洗浄水（「貯留水」ともいう）の最大水位ＷＬＭＡＸの水面（「喫水面」ともいう）までの高さが高くなり、タンク本体の内部において洗浄水の水はねが発生することがあった。このような水はねは、汚れの原因となることがあり、衛生面においても好ましくない。
【００２３】
実施形態に係る洗浄水タンク装置１０では、導水管１３を、タンク本体１１の側部に設けられた開口部１２に取り付け、タンク本体１１の上方から供給される洗浄水を、タンク本体１１の側部からタンク本体１１の内部へ導入することとした。
【００２４】
実施形態に係る洗浄水タンク装置１０によれば、高さを抑えることができる。また、洗浄水に十分な水勢を付与することができる。これにより、導水管１３内の残水を減らすことができる。また、導水管１３の先端部からタンク本体１１に貯留される洗浄水の最大水位ＷＬＭＡＸの水面までの高さを抑えることができる。これにより、洗浄水の水はねを抑えることができる。
【００２５】
なお、実施形態に係る洗浄水タンク装置１０では、洗浄水の流入口１３１が側方を向き、洗浄水の流出口１３２が下方を向くように導水管１３を取り付ける。また、開口部１２は、タンク本体１１の上面の端縁部１１ａに形成された切欠きとする。また、開口部１２となる切欠きに挿入され、導水管１３を固定する固定部材２０を備える。また、タンク本体１１の側周面を、平面視において楕円形状に形成する。これらの詳細については、図２〜図６を用いて後述する。
【００２６】
なお、導水管１３を、タンク本体１１の左右いずれか一方に寄せた配置としてもよい。また、導水管１３を左右に寄せた配置とする場合、給水源の位置に応じて左右いずれかを選択可能に構成して、左右のいずれか選択された方に導水管１３を取り付けるようにしてもよい。
【００２７】
以下、図２〜図６を参照して実施形態に係る洗浄水タンク装置１０についてさらに詳細に説明する。図２は、実施形態に係る洗浄水タンク装置１０の斜視図である。図３は、実施形態に係る洗浄水タンク装置１０の平面図である。図４Ａは、第１開口部１２Ａの説明図である。図４Ｂは、第２開口部１２Ｂの説明図である。図５Ａおよび図５Ｂは、固定部材２０の説明図である。図６は、固定部材２０および導水管１３の配置説明図である。
【００２８】
なお、図２などにおいて、説明をわかりやすくするために、鉛直上向きを正方向とするＺ軸を含む３次元の直交座標系を図示している。かかる直交座標系は、他の図においても図示している場合がある。また、かかる直交座標系は、Ｙ軸の負方向側を正面と規定し、Ｘ軸の正方向側を右側面、Ｘ軸の負方向側を左側面、Ｚ軸の正方向側を平面（「上面」ともいう）と規定している。
【００２９】
図２に示すように、洗浄水タンク装置１０において、タンク本体１１は、上面に開口を有する容器であり、上記したように、便器、詳細には後述する便器本体２（図７参照）のボウル部へ供給する洗浄水を内部に貯留する。また、タンク本体１１は、平面視において、楕円形状である（図３参照）。すなわち、タンク本体１１は、側周面が曲面となる。
【００３０】
また、タンク本体１１は、上面に蓋１１１が配置される。タンク本体１１は、蓋１１１が配置されることで、上面の開口が閉塞される。なお、タンク本体１１および蓋１１１は、樹脂製であることが好ましい。また、タンク本体１１の上部には、洗浄水タンク装置１０における、後述する操作部１４などが配置される。
【００３１】
また、洗浄水タンク装置１０において、開口部１２（図１参照）となる第１開口部１２Ａおよび第２開口部１２Ｂは、上記したように、タンク本体１１の側部に設けられる。このうち、第１開口部１２Ａは、タンク本体１１の上面の端縁部１１ａに設けられた切欠きである。かかる切欠きは、上面の端縁部１１ａから下方へ向けて切り欠かれたものである。このため、第１開口部１２Ａは、タンク本体１１の側部に位置するようになる。
【００３２】
また、第２開口部１２Ｂは、タンク本体１１の側端部（図示の例では、右側端部）に設けられ、操作部１４の半部（図示の例では、右側半部）が配置される空間部１４１に設けられる。空間部１４１は、タンク本体１１の右側端部が切り欠かれたように、タンク本体１１に切欠き状に設けられる。第２開口部１２Ｂは、空間部１４１を形成している側面１４１ａおよび底面１４１ｂのうち、底面１４１ｂに設けられる。なお、空間部１４１を形成している側面１４１ａおよび底面１４１ｂは、タンク本体１１の上面を閉塞するカバー機能を有する。
【００３３】
第１開口部１２Ａおよび第２開口部１２Ｂは、いずれか一方（図示の例では、第１開口部１２Ａ）がタンク本体１１の左側に寄せて配置され、他方（図示の例では、第２開口部１２Ｂ）がタンク本体１１の右側に寄せて配置される。このように、第１開口部１２Ａおよび第２開口部１２Ｂは、タンク本体１１の左右に設けられる。なお、第１開口部１２Ａおよび第２開口部１２Ｂのさらに詳細な構成については、図４Ａおよび図４Ｂを用いて後述する。
【００３４】
導水管１３は、タンク本体１１に供給する洗浄水の給水源の位置に応じて、第１開口部１２Ａおよび第２開口部１２Ｂのいずれか一方に取り付けられる。導水管１３は、たとえば、給水源が左側にある場合には第１開口部１２Ａに取り付けられ、給水源が右側にある場合には第２開口部１２Ｂに取り付けられる。
【００３５】
また、導水管１３は、上記したように、タンク本体１１の上方に配置された給水源から供給される洗浄水を、タンク本体１１の側部からタンク本体１１の内部へ導入する。なお、導水管１３のさらに詳細な構成については、図４Ａおよび図４Ｂを用いて後述する。
【００３６】
また、洗浄水タンク装置１０は、固定部材２０をさらに備える。固定部材２０は、導水管１３が第１開口部１２Ａに取り付けられる場合、導水管１３を固定した状態で第１開口部１２Ａに取り付けられる。言い換えると、固定部材２０は、第１開口部１２Ａと導水管１３との間に介在して、第１開口部１２Ａにおいて導水管１３を固定する。なお、固定部材２０のさらに詳細な構成については、図５Ａおよび図５Ｂを用いて後述する。
【００３７】
また、図３に示すように、洗浄水タンク装置１０は、操作部１４と、給水部１５と、排水部（図示省略）とを備える。操作部１４は、操作レバーハンドル１４２、排水弁駆動装置１４３、支持部材１４４を備える。操作レバーハンドル（以下、「操作レバー」という）１４２は、タンク本体１１の外側部（図示の例では、右外側部）に設けられる。操作レバー１４２は、回動軸１４２ａまわりに、Ｙ軸の正方向または負方向へと回動する。
【００３８】
また、操作レバー１４２は、回動軸１４２ａを介して、空間部１４１に配置された排水弁駆動装置１４３に連動可能に連結される。また、排水弁駆動装置１４３は、操作レバー１４２を所定の洗浄モード（大洗浄、小洗浄）を実行させる方向に回動操作することで、操作レバー１４２に連動する。そして、排水弁駆動装置１４３は、操作レバー１４２の操作に連動することで、排水部の排水弁（図示省略）を引き上げる。
【００３９】
なお、排水弁駆動装置１４３には、たとえば、ワイヤによって排水弁を駆動するワイヤ装置がある。図示しないが、ワイヤ装置では、複数のギヤの連動によって、排水弁に接続されたワイヤを進退させて排水弁を開閉駆動する。また、排水弁駆動装置１４３としては、ワイヤ装置の他、たとえば、スピンドルに玉鎖などの紐体が接続されたものがある。
【００４０】
支持部材１４４は、一対の腕部１４５，１４５によってタンク本体１１の端縁部１１ａに固定され、平面視において、タンク本体１１の中央部に位置するように設けられる。支持部材１４４は、タンク本体１１の内部側から操作レバー１４２および排水弁駆動装置１４３を支持する。
【００４１】
給水部１５は、給水源としての後述する手洗い器４（図７参照）の排水による給水とは別系統の給水系であり、給水装置１５１を備える。給水装置１５１は、給水タンクと、給水フロート（いずれも、図示省略）とを備える。また、給水装置１５１の給水口（図示省略）には、手洗い器４へ水を供給するために、タンク本体１１の上方において側方へ延伸する給水管４１から分岐した給水分岐管１５２が接続される。
【００４２】
図示しないが、給水装置１５１の上部には、給水弁が設けられる。給水弁は、たとえば、ダイアフラム式であり、洗浄水の給水と止水とを切り換える。給水タンクは、たとえば、略矩形の容器である。給水フロートは、給水タンク内に配置され、給水タンク内の水位に応じて上下動する。そして、給水装置１５１は、給水フロートの上下動によって給水弁を開閉する。
【００４３】
また、図示しないが、排水部は、支持部材１４４の下方に配置される。排水部は、排水装置などを備える。排水装置は、排水弁を備える。なお、タンク本体１１の底面には、便器本体２（図７参照）の導水路へ連通し、洗浄水を導水路へ供給する排水口が設けられる。排水装置では、排水弁の駆動によって排水口を開閉する。
【００４４】
なお、タンク本体１１は、操作部１４、給水部１５および排水部の他、オーバーフロー管（図示省略）を備える。図示しないが、オーバーフロー管は、円筒状であり、タンク本体１１の内部に直立して設けられる。また、オーバーフロー管は、排水口へ連通する流路となり、タンク本体１１の洗浄水が最大水位ＷＬＭＡＸ（図６参照）を超えた場合などに、上端開口から管内に流入してきた洗浄水を排水口へ送り込む。かかるオーバーフロー管は、タンク本体１１から洗浄水が溢れることを防止する。
【００４５】
次に、図４Ａ、図４Ｂを参照して、第１開口部１２Ａ、第２開口部１２Ｂおよび導水管１３の詳細について説明する。図４Ａに示すように、第１開口部１２Ａは、導水管１３を介して、タンク本体１１に設けられてタンク本体１１の内部へ洗浄水を導入する導入口（第１導入口２１）に連通する。すなわち、第１開口部１２Ａに導水管１３が取り付けられることで、第１開口部１２Ａを、タンク本体１１の内部へ洗浄水を導入する「導入部」と言い換えてもよい。
【００４６】
また、第１導入口２１は、洗浄水を導入するための穴であり、第１導入口２１には、固定部材２０の円筒状の挿入部２０２（図５Ａ参照）が挿入される。さらに、挿入部２０２には、導水管１３の後述する先端部が挿入される。導水管１３に流入してきた洗浄水は、第１導入口２１を通過して、導水管１３の先端部から流出する。
【００４７】
図４Ｂに示すように、第２開口部１２Ｂは、タンク本体１１の空間部１４１を形成している底面１４１ｂ（図２参照）に設けられた導入口（第２導入口２２）を囲むように円筒状に形成される。また、第２導入口２２は、上記した第１導入口２１と同様、洗浄水を導入するための穴である。すなわち、第２開口部１２Ｂに導水管１３が取り付けられることで、第２開口部１２Ｂを、洗浄水をタンク本体１１の内部へ導入する「導入部」と言い換えてもよい。
【００４８】
また、図４Ａおよび図４Ｂに示すように、導水管１３は、第１開口部１２Ａおよび第２開口部１２Ｂのいずれか一方に上方から取り付けられる。導水管１３は、給水源とタンク本体１１との間を接続して、上記したように、給水源から供給される洗浄水をタンク本体１１の内部へ導入する。
【００４９】
導水管１３は、鉤状に屈曲形成され、流入口１３１と、流出口１３２とを備える。流入口１３１は、洗浄水が導水管１３内に流入する入口となり、導水管１３の基端部に設けられる。また、流出口１３２は、洗浄水が導水管１３から流出する出口となり、導水管１３の先端部に設けられる。
【００５０】
また、導水管１３は、基端部に、山折り部と谷折り部とが繰り返されて形成された蛇腹部１３３が設けられる。かかる蛇腹部１３３が設けられることで、基端部の屈曲や伸縮が可能となり、給水源との間を接続する管の取り回しが容易となる。これにより、施工性が向上する。導水管１３は、たとえば、一体成形された樹脂製であることが好ましい。
【００５１】
ここで、図３に戻り、導水管１３は、第１開口部１２Ａに取り付らけれた状態では、平面視において、中心線Ｌ１がタンク本体１１のＹ軸と平行な中心線Ｌ０に対して外側へ向けて所定の傾斜角度αを有する。たとえば、図示の例では、導水管１３が第１開口部１２Ａに取り付けられる場合は給水源が左側にある場合であり、このように、導水管１３が外側（左側）へ傾斜していることで、給水源との間を接続する管の取り回しが容易となる。これにより、施工性が向上する。なお、傾斜角度αは、４５°程度が好ましい。
【００５２】
また、導水管１３は、第２開口部１２Ｂに取り付けられた状態でも、平面視において、中心線がタンク本体１１のＹ軸と平行な中心線Ｌ０に対して外側へ向けて所定の傾斜角度を有する。たとえば、図示の例では、導水管１３が第２開口部１２Ｂに取り付けられる場合は給水源が右側にある場合であり、導水管１３が外側（右側）へ傾斜していることで、給水源との間を接続する管の取り回しが容易となる。これにより、施工性が向上する。
【００５３】
次に、図５Ａ、図５Ｂを参照して固定部材２０の詳細について説明する。図５Ａに示すように、固定部材２０は、上記した挿入部２０２の他、基部２０１と、壁部２０３と、固定部２０４（図４Ａ参照）とを備える。基部２０１は、平板状に形成されており、一端部に第１導入口２１に連通する穴部２０１ａを有する。また、基部２０１は、他端部に後述する固定部２０４が取り付けられる取付部２０１ｂを有する。
【００５４】
挿入部２０２は、基部２０１の下方に突出して設けられる。挿入部２０２は、上記したように、円筒状に形成されており、基部２０１の穴部２０１ａに連通する。また、挿入部２０２は、下端部に基部２０１側へ向けて開口する排出穴２０２ａを有する。壁部２０３は、基部２０１の端縁部に設けられるとともに、基部２０１を囲むように設けられる。壁部２０３は、タンク本体１１の上面の端縁部１１ａに設けられた切欠きである第１開口部１２Ａに挿入される挿入部となる。
【００５５】
固定部２０４（図４Ａ参照）は、基部２０１の他端部に設けられる。固定部２０４は、導水管１３を基部２０１に固定するものである。かかる固定部２０４としては、たとえば、ケーブルクリップがある。固定部２０４がケーブルクリップの場合、導水管１３の基端部を挟み込むことで、導水管１３を基部２０１に固定するとともに、導水管１３の左右方向の回転を防止する。なお、固定部２０４は、第２開口部１２Ｂ付近にも設けられ、第２開口部１２Ｂに取り付けられた導水管１３を固定するとともに、導水管１３の左右方向の回転を防止する。
【００５６】
なお、固定部材２０は、第１開口部１２Ａに上方から取り付けられ、図５Ｂに示すように、取り付けられた状態において、基部２０１がタンク本体１１の外側へ向けて傾いている。これにより、導水管１３を、所定の傾斜角度α（図３参照）を有して取り付けることができる。
【００５７】
次に、図６を参照して、タンク本体１１に取り付けられた固定部材２０および導水管１３の配置について説明する。図６に示すように、導水管１３をタンク本体１１の第１開口部１２Ａに取り付けた状態において、固定部材２０に固定された導水管１３は、流入口１３１が側方を向き、流出口１３２が下方を向くように配置される。
【００５８】
このように、導水管１３が、流入口１３１が側方を向き、かつ、流出口１３２が下方を向くように配置されることで、タンク本体１１の側方から流入する洗浄水Ｗ１が、タンク本体１１の内部においては下方へ向きを変えて流出する。また、導水管１３から流出する洗浄水Ｗ２は、挿入部２０２の排出穴２０２ａからタンク本体１１の内部へ排出される。
【００５９】
導水管１３から流出した洗浄水Ｗ２は、排出穴２０２ａから排出されるときに、排出穴２０２ａに沿って基部２０１側へ向きを変えて排出される。すなわち、洗浄水Ｗ２は、タンク本体１１の内壁側へ向けて排出される。このため、洗浄水Ｗ２が排水弁から離れて排出されるようになり、排水弁に排出時の水圧が加わることで排水弁の動作が不安定になるのを防止することができる。
【００６０】
そして、上記した実施形態に係る洗浄水タンク装置１０によれば、タンク本体１１の側部に導水管１３があることで、高さを抑えることができる。また、タンク本体１１の側部に導水管１３があるため、上方から供給される洗浄水の落差が大きくなり、洗浄水に十分な水勢を付与することができる。これにより、導水管１３内の残水を減らすことができる。また、導水管１３からタンク本体１１に貯留される洗浄水の最大水位ＷＬＭＡＸの水面までの高さが抑えられ、洗浄水の水はねを防止することができる。この結果、節水性、衛生性が向上する。
【００６１】
また、タンク本体１１の側方から流入された洗浄水が下方へ流出され、導水管１３の流出口１３２からタンク本体１１に貯留される洗浄水の水面（たとえば、最大水位ＷＬＭＡＸの水面）までの高さが抑えられ、流出口１３２から流出した洗浄水の水はねを防止することができる。この結果、衛生性が向上する。
【００６２】
また、第１開口部１２Ａが切欠きであるため、第１開口部１２Ａに対して導水管１３を上方から取り付けることができる。この結果、導水管１３の組み付けが容易となり、施工性が向上する。
【００６３】
また、導水管１３が固定部材２０に固定された状態で切欠きである第１開口部１２Ａに取り付けられることで、第１開口部１２Ａに対して固定部材２０を上方から取り付けることができ、導水管１３の組み付けが容易となり、施工性が向上する。また、導水管１３が固定部材２０に固定されるため、導水管１３を安定させることができる。
【００６４】
また、タンク本体１１が平面視において楕円形状であり、タンク本体１１の側周面が曲面となるため、導水管１３に接続される管をタンク本体１１の側周面に沿わせることで、導水管１３に接続される管の長さを短くすることができる。この結果、コストを抑えることができる。また、導水管１３に接続される管の取り回しが容易となり、施工性が向上する。
【００６５】
なお、上記した実施形態に係る洗浄水タンク装置１０では、第１開口部１２Ａを切欠き、第２開口部１２Ｂを穴としているが、第１開口部１２Ａおよび第２開口部１２Ｂの双方を切欠きとして、左右対称に構成してもよい。この場合、固定部材２０も兼用可能となり、導水管１３を安定させることができるうえ、コストを抑えることができる。
【００６６】
また、上記した実施形態に係る洗浄水タンク装置１０では、第１開口部１２Ａおよび第２開口部１２Ｂのいずれかに導水管１３を取り付けるが、この場合、固定部２０４も兼用することで、導水管１３を安定させるためのコストを抑えることができる。
【００６７】
また、上記した実施形態に係る洗浄水タンク装置１０では、タンク本体１１および蓋１１１を樹脂製としているが、これに限定されず、たとえば、陶器製であってもよい。
【００６８】
＜水洗大便器＞
次に、図７〜図９Ｂを参照して実施形態に係る水洗大便器１について説明する。図７は、実施形態に係る水洗大便器１の正断面図である。図８Ａは、キャビネット５上部の正断面図である。図８Ｂは、比較例のキャビネット５Ｃ上部の正断面図である。図９Ａは、手洗い器４および第１開口部１２Ａの接続状態を示す平断面図である。図９Ｂは、手洗い器４および第２開口部１２Ｂの接続状態を示す平断面図である。
【００６９】
図７に示すように、実施形態に係る水洗大便器１は、便器本体２と、上記した洗浄水タンク装置１０とを備える。便器本体２は、図示の例では、トイレ室の床面Ｆに設置される。なお、便器本体２は、床置き式に限らず、壁掛け式であってもよい。
【００７０】
図示しないが、便器本体２は、汚物を受けるボウル部と、洗浄水タンク装置１０から供給される洗浄水をボウル部へ導く導水路と、ボウル部の下部に入口が接続され、ボウル部内の汚物を排水管路３へ排出するトラップ管路とを備える。なお、便器本体２は、たとえば、陶器製である。
【００７１】
また、ボウル部は、上縁部において内側にオーバーハングしたリム部に設けられ、導水路から供給される洗浄水を吐水する第１吐水口と、ボウル部内の溜水面の上方位置に設けられ、導水路を流れる洗浄水を吐水する第２吐水口とを備える。
【００７２】
トラップ管路は、管路入口から上方へ延びる上昇路部分と、上昇路部分の末端から下方へ延伸して、トイレ室の床下に配管された排水管路３に接続される下降路部分とを備える。なお、ボウル部からトラップ管路の上昇路部分にかけては、水封状態を形成するための洗浄水が貯水される。なお、貯水された洗浄水を「溜水」といい、溜水の水面が溜水面である。
【００７３】
水洗大便器１は、サイホン作用を利用してボウル部内の汚物を引き込んでトラップ管路から排出する、いわゆるサイホン式である。また、水洗大便器１では、第１吐水口から吐水された洗浄水が旋回しながら下降してボウル部を洗浄する。また、水洗大便器１では、第２吐水口から吐水された洗浄水が水流を発生させる。
【００７４】
なお、水洗大便器１は、サイホン式に限定されず、たとえば、ボウル部内の洗浄水の落差による流水作用で汚物を押し流す、いわゆる洗い落し式でもよいし、その他の形式でもよい。
【００７５】
また、水洗大便器１は、手洗い器４が洗浄水タンク装置１０の上方、かつ、側方に配置されたタイプである。手洗い器４と洗浄水タンク装置１０との間は、手洗い器４の排水管４２（図９Ａ、図９Ｂ参照）によって接続される。詳細には排水管４２は、上記した導水管１３に接続される。すなわち、手洗い器４からの排水が洗浄水タンク装置１０のタンク本体１１に供給され、水洗大便器１の洗浄水となる。
【００７６】
手洗い器４は、手洗いボウル部４３と、手洗い吐水部４４とを備える。手洗いボウル部４３は、手洗い吐水部４４から吐出される水を受ける。手洗いボウル部４３の底部には、排水口（図示省略）が設けられる。手洗い吐水部４４は、手洗いボウル部４３から上方へ突出して設けられる。
【００７７】
手洗い器４には、洗浄水タンク装置１０に供給される洗浄水の一部が、給水管４１（図２、図３参照）を流れて手洗い吐水部４４へ供給される。これにより、給水部１５によってタンク本体１１に洗浄水が供給される場合に、供給される洗浄水の一部が手洗い吐水部４４から吐出される。
【００７８】
また、上記した水洗大便器１では、洗浄水タンク装置１０がキャビネット５に収納されている。そして、キャビネット５の上面には手洗い器４が配置される。キャビネット５は、たとえば、トイレ室の壁面に沿って設けられる。図７に示すように、キャビネット５は、キャビネット本体５１と、一対の仕切り板５２Ｌ，５２Ｒと、背板５３（図９Ａ、図９Ｂ参照）とを備える。
【００７９】
キャビネット本体５１は、前板５１１（図９Ａ，図９Ｂ参照）と、一対の扉板５１２Ｌ，５１２Ｒと、天板５１３とを備える。前板５１１は、洗浄水タンク装置１０の前面に設けられる。一対の扉板５１２Ｌ，５１２Ｒは、前板５１１に対してヒンジを介して開閉可能に連結される。天板５１３は、キャビネット５の上面を形成しており、天板５１３の上面には手洗い器４が設置される。
【００８０】
なお、キャビネット５に収納される洗浄水タンク装置１０は、上記したように、タンク本体１１および蓋１１１が樹脂製であることが好ましい。この場合、蓋１１１は、天板５１３に結露が付着することを防止するためのカバー機能を有する。
【００８１】
また、キャビネット５は、一対の仕切り板５２Ｌ，５２Ｒの外側に物品を収納可能な収納空間が形成される。キャビネット５では、扉板５１２Ｌ，５１２Ｒを開閉することで、収納空間に物品を出し入れすることができる。
【００８２】
図８Ａに示すように、実施形態に係る水洗大便器１では、導水管１３がタンク本体１１の側部に取り付けられることで、蓋１１１とキャビネット５の天板５１３とを近接させることができる。このため、蓋１１１と天板５１３との間隔Ｈ１が狭くなる。図示の例では、かかる間隔Ｈ１は、たとえば、１０ｍｍ程度となる。
【００８３】
なお、図８Ｂに示すように、比較例としての従来のキャビネット５Ｃ付きの水洗大便器１Ｃでは、導水管１３Ｃがタンク本体１１Ｃの上部に取り付けられることで、スペースを確保するために蓋１１１Ｃと天板５１３Ｃとを引き離す必要がある。このため、蓋１１１Ｃと天板５１３Ｃとの間隔Ｈ２が広くなる。図示の例では、かかる間隔Ｈ２は、たとえば、７０ｍｍ程度となる。
【００８４】
次に、図９Ａ、図９Ｂを参照して、手洗い器４と、第１開口部１２Ａおよび第２開口部１２Ｂとのそれぞれの接続状態について説明する。なお、図９Ａ、図９Ｂでは、便器本体２を省略している。
【００８５】
図９Ａに示すように、手洗い器４が左側に位置する場合、導水管１３が取り付けられる開口部１２（図１参照）として、タンク本体１１の左側に配置された第１開口部１２Ａが選択される。そして、手洗い器４の排水管４２は、第１開口部１２Ａに取り付けられた導水管１３に接続される。
【００８６】
この場合、上記したように、キャビネット５内において、導水管１３に接続された排水管４２は、タンク本体１１の側周面の曲面に沿って配置される。また、第１開口部１２Ａに取り付けられた導水管１３は、タンク本体１１の左側に配置される。このため、排水管４２を短くすることができるとともに、排水管４２の取り回しが容易となる。
【００８７】
また、図９Ｂに示すように、手洗い器４が右側に位置する場合、導水管１３が取り付けられる開口部１２として、タンク本体１１の右側に配置された第２開口部１２Ｂが選択される。そして、手洗い器４の排水管４２は、第２開口部１２Ｂに取り付けられた導水管１３に接続される。
【００８８】
この場合も、上記したように、キャビネット５内において、導水管１３に接続された排水管４２は、タンク本体１１の側周面の曲面に沿って配置される。また、第２開口部１２Ｂに取り付けられた導水管１３は、タンク本体１１の右側に配置される。このため、排水管４２を短くすることができるとともに、排水管４２の取り回しが容易となる。
【００８９】
上記した実施形態に係る水洗大便器１によれば、洗浄水タンク装置１０の高さが抑えられるため、水洗大便器１の高さも抑えることができる。また、導水管１３内の残水が減少するため、節水性、衛生性が向上する。また、導水管１３の組み付けが容易となるため、施工性が向上する。
【００９０】
また、キャビネット５内において、タンク本体１１の側部に取り付けられた導水管１３に手洗い器４の排水管４２が接続されるため、手洗い器４とタンク本体１１とを近接させることができる。これにより、キャビネット５の高さを抑えることができる。
【００９１】
なお、上記した実施形態に係る水洗大便器１では、キャビネット５の全ての面を板材で形成しているが、たとえば、トイレ室の壁面を左右の側面または背面として利用することで、板材を少なくすることができる。
【００９２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９３】
１    水洗大便器
２    便器本体
４    手洗い器
５    キャビネット
１０    洗浄水タンク装置
１１    タンク本体
１１ａ  端縁部
１２    開口部
１２Ａ  第１開口部
１２Ｂ  第２開口部
１３    導水管
２０    固定部材
２１    第１導入口
２２    第２導入口
５１    キャビネット本体
１１１    蓋
１３１    流入口
１３２    流出口
１３３    蛇腹部
５１３    天板
Ｈ１    間隔
Ｈ２    間隔
ＷＬＭＡＸ  最大水位
【図１】
0006766405.tif 000002
【図２】
0006766405.tif 000003
【図３】
0006766405.tif 000004
【図４Ａ】
0006766405.tif 000005
【図４Ｂ】
0006766405.tif 000006
【図５Ａ】
0006766405.tif 000007
【図５Ｂ】
0006766405.tif 000008
【図６】
0006766405.tif 000009
【図７】
0006766405.tif 000010
【図８Ａ】
0006766405.tif 000011
【図８Ｂ】
0006766405.tif 000012
【図９Ａ】
0006766405.tif 000013
【図９Ｂ】
0006766405.tif 000014